(57)【特許請求の範囲】
【請求項１】
登録対象の商品を示す商品情報を入力する入力手段と、
前記入力された商品情報が示す商品が同一取引処理内において既に登録された商品と同一であるか否かを判断する判断手段と、
前記入力された商品情報が示す商品が同一取引処理内において既に登録された商品と同一であると判断された場合、前記入力された商品情報が示す商品を同一取引処理内において登録する個数を入力可能であることを報知する報知手段と、
前記入力された商品情報が示す商品を同一取引処理内において登録する個数の入力を受け付ける受付手段と、
前記入力された商品情報が示す商品の前記個数分の重量を計量する計量手段と、
前記計量した重量と、前記入力された商品情報が示す商品の予め設定された重量に前記個数を乗算した重量とが一致した場合に、前記入力された商品情報が示す商品を前記個数分登録する登録手段と、
を備えたことを特徴とする情報処理装置。
【請求項２】
前記報知手段は、前記入力された商品情報が示す商品を前記個数分一度に登録できることを示すメッセージを表示部に表示して、前記個数を入力可能であることを報知することを特徴とする請求項１に記載の情報処理装置。
【請求項３】
前記判断手段は、前記商品情報が入力された後、前記個数が入力されなかった場合に、前記入力された商品情報が示す商品が同一取引処理内において既に登録された商品と同一であるか否かを判断することを特徴とする請求項１または２に記載の情報処理装置。
【請求項４】
コンピュータを、
登録対象の商品を示す商品情報を入力する入力手段と、
前記入力された商品情報が示す商品が同一取引処理内において既に登録された商品と同一であるか否かを判断する判断手段と、
前記入力された商品情報が示す商品が同一取引処理内において既に登録された商品と同一であると判断された場合、前記入力された商品情報が示す商品を同一取引処理内において登録する個数を入力可能であることを報知する報知手段と、
前記入力された商品情報が示す商品を同一取引処理内において登録する個数の入力を受け付ける受付手段と、
前記入力された商品情報が示す商品の前記個数分の重量を計量する計量手段と、
前記計量した重量と、前記入力された商品情報が示す商品の予め設定された重量に前記個数を乗算した重量とが一致した場合に、前記入力された商品情報が示す商品を前記個数分登録する登録手段と、
として機能させるためのプログラム。
【請求項５】
前記報知手段は、前記入力された商品情報が示す商品を前記個数分一度に登録できることを示すメッセージを表示部に表示して、前記個数を入力可能であることを報知することを特徴とする請求項４に記載のプログラム。
【請求項６】
前記判断手段は、前記商品情報が入力された後、前記個数が入力されなかった場合に、前記入力された商品情報が示す商品が同一取引処理内において既に登録された商品と同一であるか否かを判断することを特徴とする請求項４または５に記載のプログラム。
【発明の詳細な説明】
【技術分野】
【０００１】
本発明の実施形態は、情報処理装置およびプログラムに関する。
【背景技術】
【０００２】
セルフチェックアウト端末は、顧客自身が当該セルフチェックアウト端末の使用者となり、購入する商品の登録作業および会計作業を行うための端末である。このセルフチェックアウト端末では、顧客の不正を防止するためにスキャナによりバーコード等を読み取った後、秤装置により重量チェックを行う機能が搭載されている。また、同一商品が複数ある場合、キーボードで個数を入力することで、スキャナによるバーコードの読み取りを省略する乗算機能が搭載されている。
【発明の概要】
【発明が解決しようとする課題】
【０００３】
しかしながら、セルフチェックアウト端末を使い慣れていない顧客は、複数の同一商品を登録する場合に、複数の同一の商品の個数を入力することにより、複数の同一商品をまとめて登録できることを知らずに、商品毎に商品の登録作業を行っており、未だ商品の登録作業の煩わしさが解消されていない、という課題がある。
【課題を解決するための手段】
【０００４】
実施形態の情報処理装置は、入力手段と、判断手段と、報知手段と、受付手段と、計量手段と、登録手段と、を備える。前記入力手段は、登録対象の商品を示す商品情報を入力する。前記判断手段は、前記入力された商品情報が示す商品が同一取引処理内において既に登録された商品と同一であるか否かを判断する。前記報知手段は、前記入力された商品情報が示す商品が同一取引処理内において既に登録された商品と同一であると判断された場合、前記入力された商品情報が示す商品を同一取引処理内において登録する個数を入力可能であることを報知する。前記受付手段は、前記入力された商品情報が示す商品を同一取引処理内において登録する個数の入力を受け付ける。前記計量手段は、前記入力された商品情報が示す商品の前記個数分の重量を計量する。前記登録手段は、前記計量した重量と、前記入力された商品情報が示す商品の予め設定された重量に前記個数を乗算した重量とが一致した場合に、前記入力された商品情報が示す商品を前記個数分登録する。
【図面の簡単な説明】
【０００５】
【図１】図１は、全体のシステム構成を示す模式図である。
【図２】図２は、セルフチェックアウト端末を示す斜視図である。
【図３】図３は、ＬＣＤの画面に配置された各種キーを示す図である。
【図４】図４は、保持アームにレジ袋が保持されている状態を示す斜視図である。
【図５】図５は、決済端末の電気的なハードウェア構成を示すブロック図である。
【図６】図６は、商品マスタファイルの一例を示す図である。
【図７】図７は、本実施形態にかかるセルフチェックアウト端末における商品情報の登録処理の流れを示すフローチャートである。
【図８】図８は、ＬＣＤに表示されるメッセージの一例を示す図である。
【図９】図９は、ＬＣＤに表示されるメッセージの一例を示す図である。
【発明を実施するための形態】
【０００６】
図１は、全体のシステム構成を示す模式図である。本実施形態のシステムは、複数のセルフチェックアウトシステム１１と、複数台のＰＯＳ（Point  Of  Sales）端末２１と、ストアコントローラ３１とが通信ネットワーク４１を介して接続されて構築されている。セルフチェックアウトシステム１１は、複数台のセルフチェックアウト端末１０１に一台のアテンダント端末５０１が割り当てられて構成されている。セルフチェックアウト端末１０１は、顧客が購入する商品に貼付されたバーコードから商品情報を読み取り、読み取った商品情報が示す商品の登録等を行うための端末である。
【０００７】
図２は、セルフチェックアウト端末を示す斜視図である。セルフチェックアウト端末１０１は、決済端末２０１と秤装置３０１とから構成されている。
【０００８】
決済端末２０１は、登録対象の商品を入れた籠（図示せず）を載置するための商品籠載置台１０２が脇から突出したハウジング２０２を有している。
【０００９】
決済端末２０１のハウジング２０２は、床面に設置されるベースハウジング２０２ａと、このベースハウジング２０２ａの上面に載置される上部ハウジング２０２ｂとによって構成されている。ベースハウジング２０２ａの前面は、下方に向かうほどベースハウジング２０２ａの投影面積を狭めるように傾斜している。これにより、ベースハウジング２０２ａは、下方に向かうほど奥側にオフセットした形状となっている。
【００１０】
上部ハウジング２０２ｂには、商品籠載置台１０２側にバーコードスキャナ２０３が配置され、商品籠載置台１０２の反対側にプリンタカバー２０４が配置されている。バーコードスキャナ２０３とプリンタカバー２０４との間にはカード挿入口２１２が配置されている。
【００１１】
バーコードスキャナ２０３は、ガラス板で形成されている読取面２０３ａを有し、この読取面２０３ａの前面に位置する読取空間に所定パターンのレーザ光パターンを照射する縦型スキャナである。バーコードスキャナ２０３は、読取空間に物品が位置づけられてその物品に付されたバーコードが読取面２０３ａに向けられると、バーコードからの反射光を受光素子（図示しない）で受光する。そして、バーコードスキャナ２０３は、受光素子の出力信号に基づくバーコードの受光信号をデコードし、そのバーコードが示している商品名や商品コードなどの商品情報をコードデータとして取得し、決済端末２０１の制御部２５３（図５参照）に入力する入力部である。
【００１２】
プリンタカバー２０４には、レシート発行口２０８が設けられている。プリンタカバー２０４の奥側にはレシートプリンタ２５１（図５参照）が内蔵され、このレシートプリンタ２５１によって印字される図示しないレシートは、レシート発行口２０８から発行されるように構成されている。プリンタカバー２０４は、上部ハウジング２０２ｂに対して開閉自在に取り付けられている。
【００１３】
カード挿入口２１２の内部には、磁気カードに対するデータの読み書きを可能とする磁気カードリーダライタであるカードリーダライタ２５２（図５参照）が内蔵されている。カード挿入口２１２には、磁気カードとしてクレジットカードが挿入可能である。
【００１４】
上部ハウジング２０２ｂには、登録された商品の商品名や価格や画像等の商品情報を買物客に表示する表示部としてのＬＣＤ（Liquid  Crystal  Display）２１０が取り付けられている。このＬＣＤ２１０の画面には、コードシンボルで登録できない商品の商品情報や同一商品（同じバーコードが付された商品）の個数等を入力するための各種キーが配置されているタッチパネル２１１が積層配置されている。図３は、ＬＣＤの画面に配置された各種キーを示す図である。図３に示すように、本実施形態では、ＬＣＤ２１０の画面には、同一商品の登録を要求する乗算ボタン２１０ｂ、同一商品の個数を入力するためのテンキー２１０ａ、入力した同一商品の個数の確定キー２１０ｃ、商品の会計を要求する会計ボタン２１０ｄ等が配置されている。
【００１５】
ベースハウジング２０２ａには、硬貨と紙幣との入出金装置２２１（図５参照）が内蔵されている。入出金装置２２１の一部として、ベースハウジング２０２ａの中央上面には、硬貨投入口２１３が配置され、当該硬貨投入口２１３の左側には、硬貨払出口２１４が配置されている。また、硬貨投入口２１３の右側には、紙幣投入口２１５と、紙幣払出口２１６とが配置されている。このような入出金装置２２１は、硬貨及び紙幣の取扱いを可能にする機構部とこの機構部を制御する制御部とを有している（いずれも図示せず）。このような機構部の構造及び制御部での処理手順等については、その内容が周知なので、説明を省略する。
【００１６】
さらに、ベースハウジング２０２ａの背面からは、セルフチェックアウト端末１０１の現在の状態を表示する警報装置としての表示ポール２１７が立設されている。この表示ポール２１７は、先端部に青色と赤色とに選択的に発光する発光部２１８を有する。
【００１７】
次に、図２および図４を用いて、秤装置３０１について説明する。図４は、保持アームにレジ袋が保持されている状態を示す斜視図である。秤装置３０１は、秤ハウジング３０２の上部に秤皿３０３が設けられ、この秤皿３０３には、商品情報を入力した商品を収納する収納部材としてのレジ袋４０１を保持する袋保持具３０４が取り付けられて構成されている。秤装置３０１は、レジ袋４０１に収納されて秤皿３０３上に置かれた商品の荷重を計量する計量部である。秤皿３０３は、その上面に載置台３０３ａを有する。袋保持具３０４は載置台３０３ａに取り付けられている。したがって、袋保持具３０４からすると、秤皿３０３は台座を構成する。つまり、載置台３０３ａの後方中央部にはポール形状のアーム支持部３０５が立設され、このアーム支持部３０５の上端には品物を載置するための一時置き台３０６が固定されている。一時置き台３０６は、上面が平坦面となっており、決済端末２０１のバーコードスキャナ２０３でコードシンボルをスキャンした後の商品を一時的に置く用途で用いられる台である。載置台３０３ａ及び一時置き台３０６は、共に、商品コードが入力された商品を載置するための載置部としての役割を担っている。
【００１８】
このような一時置き台３０６の下面には、一対の保持アーム３０７とフック３０８が取り付けられている。つまり、一時置き台３０６の下面両端位置には、アーム取付具３０９（図４参照）が固定されている。固定は、例えばネジ止め、接着止め等、各種の固定手法によってなされている。そして、それらのアーム取付具３０９のそれぞれには、保持アーム３０７が埋設されている。また、一時置き台３０６の下面中央位置には、フック取付具３１０（図４参照）が固定されている。固定は、例えばネジ止め、接着止め等、各種の固定手法によってなされている。そして、フック取付具３１０には、フック３０８が埋設されている。
【００１９】
保持アーム３０７は、開口部４０２とこの開口部４０２から突出する一対の把手４０３とを有してこれらの把手４０３が両側に位置付けられるように折り畳まれたレジ袋４０１を保持するために、一対の把手４０３を串刺し状態で保持する。このような保持状態を実現するために、把手４０３にはスリット４０４が形成されている。また、レジ袋４０１には、一対の把手４０３の間に位置させてミシン目４０５で脱落可能な一対の耳部４０６が形成されており、これらの耳部４０６には引掛け穴４０７が形成されている。フック３０８は、引掛け穴４０７を挿通し、これによってレジ袋４０１を保持アーム３０７と共に保持する。
【００２０】
図５は、決済端末の電気的なハードウェア構成を示すブロック図である。決済端末２０１は、内部に情報処理部としての制御部２５３を有する。制御部２５３は、例えば動作シーケンスが書き込まれた半導体チップ構成のものであっても、ＲＡＭ（Random  Access  Memory）２５４等に動作プログラムを記憶させて動作するマイクロコンピュータ構成のものであっても良い。ここでは、マイクロコンピュータ構成の制御部２５３を紹介する。
【００２１】
制御部２５３の中核をなすのはＣＰＵ（Central  Processing  Unit）２５５である。ＣＰＵ２５５には、固定データを固定的に記憶するＲＯＭ（Read  Only  Memory）２５６と、同一取引処理内において（つまり、会計ボタン２１０ｄが押下される前に）登録された商品の商品情報などの可変データを書き換え自在に記憶するＲＡＭ（Random  Access  Memory）２５４と、ＬＣＤ２１０に表示する表示画像を生成するＶＲＡＭ（Video  Random  Access  Memory）２５７と、ＨＤＤ（Hard  Disk  Drive）２５８とがシステムバス２５９を介して接続されている。
【００２２】
制御部２５３には、システムバス２５９を介して、バーコードスキャナ２０３、ＬＣＤ２１０、タッチパネル２１１、カードリーダライタ２５２、レシートプリンタ２５１、発光部２１８、および入出金装置２２１との間でのデータ通信を媒介するインターフェース２６０が接続され、制御部２５３による制御を受ける。また、制御部２５３にはシステムバス２５９を介して通信インターフェース２６１も接続されている。通信インターフェース２６１は、通信ネットワーク４１に接続され、アテンダント端末５０１及びストアコントローラ３１とセルフチェックアウト端末１０１との間のデータ通信を実現させる。なお、制御部２５３には、図示はしないが、システムバス２５９を介して、秤装置３０１との間のデータ通信を実現させるインターフェースも接続されている。
【００２３】
ＨＤＤ２５８は、制御部２５３を動作させるプログラムの他に、商品マスタファイルＴ、販売データ等を記憶する売上ファイル等を格納している。図６は、商品マスタファイルの一例を示す図である。商品マスタファイルＴは、商品名、商品の重量、商品の画像データ等を、商品コードに対応付けて記憶するものである。
【００２４】
次に、本実施形態にかかる決済端末２０１（情報処理装置）が有する機能について説明する。ＣＰＵ２５５は、ＲＡＭ２５４に展開されたＨＤＤ２５８が記憶するプログラムに従って動作することで、図５に示すように、入力受付部６０１、判断部６０２、報知部６０３、登録部６０４、および精算処理部６０５として機能する。
【００２５】
入力受付部６０１は、タッチパネル２１１を介して、テンキー２１０ａから同一商品の個数が入力された後、確定キー２１０ｃが押下された場合に、当該テンキー２０１ａから同一商品の個数の入力を受け付けるものである。また、入力受付部６０１は、タッチパネル２１１を介して、乗算ボタン２１０ｂによる同一商品の登録要求、および会計ボタン２１０ｄによる商品の会計要求を受け付ける。
【００２６】
判断部６０２は、バーコードスキャナ２０３から商品情報が入力されてから所定時間以内に、乗算ボタン２１０ｂが押下されなかった場合に、バーコードスキャナ２０３により入力された商品情報が示す商品が、同一取引処理内において（つまり、会計ボタン２１０ｄが押下される前に）既に登録された商品（つまり、ＲＡＭ２５４に格納された商品情報が示す商品）と同一であるか否かを判断するものである。なお、本実施形態では、商品情報がバーコードスキャナ２０３が入力される例について説明するが、タッチパネル２１１から商品情報が入力される場合も同様の処理ができるものとする。
【００２７】
報知部６０３は、バーコードスキャナ２０３から入力された商品情報が示す商品が、ＲＡＭ２５４に格納された商品情報が示す商品と同一であると判断された場合に、ＬＣＤ２１０にメッセージを表示して、当該バーコードスキャナ２０３から入力された商品情報が示す商品を同一取引処理内において登録する個数が入力可能であることを報知するものである。なお、本実施形態では、報知部６０３は、ＬＣＤ２１０にメッセージを表示することにより、同一取引処理内において登録する商品の個数を入力可能であることを報知しているが、これに限定するものではない。例えば、報知部６０３は、発光部２１８を発光させたりまたは図示しないスピーカから音声を発したりすることにより、同一取引処理内において登録する商品の個数を入力可能であることを報知しても良い。
【００２８】
また、報知部６０３は、商品の登録が行われた場合に、バーコードスキャナ２０３から入力された商品情報が示す商品の商品名をＬＣＤ２１０に表示する。これにより、顧客は、ＬＣＤ２１０に表示された商品名を見て、商品の登録が行われたことを確認することができる。
【００２９】
さらに、報知部６０３は、登録する商品の個数分の重量と、秤装置３０１により計量された重量とが一致しなかった場合に、ＬＣＤ２１０にメッセージを表示して、再度、秤皿３０３に商品を置くことを顧客に促すものとする。
【００３０】
登録部６０４は、バーコードスキャナ２０３から入力された商品情報が示す商品が、ＲＡＭ２５４に格納された商品情報が示す商品と同一でないと判断された場合に、当該バーコードスキャナ２０３から入力された商品情報をＲＡＭ２５４に格納して、当該バーコードスキャナ２０３から入力された商品情報が示す商品の登録処理を行うものである。
【００３１】
また、登録部６０４は、入力受付部６０１によって商品を同一取引処理内において登録する個数の入力が受け付けられた場合に、ＨＤＤ２５８に記憶された商品マスタファイルＴから、バーコードスキャナ２０３から入力された商品情報が示す商品コードと対応付けられた重量を読み出す。次いで、登録部６０４は、読み出した重量に、入力を受け付けた個数を乗算して、入力を受け付けた個数分の商品の重量を計算する。さらに、登録部６０４は、入力を受け付けた個数分の商品がオペレータにより秤皿３０３に置かれると、秤装置３０１により計量された重量を受信する。そして、登録部６０４は、計算した重量と、秤装置３０１から受信した重量とが一致した場合に、バーコードスキャナ２０３から入力された商品情報を、入力を受け付けた個数分、ＲＡＭ２５４に格納して、当該入力を受け付けた個数分の商品の登録処理を行う。
【００３２】
精算処理部６０５は、入力受付部６０１によって会計ボタン２１０ｄによる商品の会計要求を受け付けた場合に、ＲＡＭ２５４に格納された商品情報が示す商品の精算処理を実行するものである。
【００３３】
次に、図７〜９を用いて、本実施形態にかかるセルフチェックアウト端末１０１における商品情報の登録処理の流れについて説明する。図７は、本実施形態にかかるセルフチェックアウト端末における商品情報の登録処理の流れを示すフローチャートである。図８および図９は、ＬＣＤに表示されるメッセージの一例を示す図である。
【００３４】
バーコードスキャナ２０３によりバーコードスキャンが行われて商品情報が入力されると（ステップＳ７０１）、入力受付部６０１は、乗算ボタン２１０ｂが押下されるのを待つ（ステップＳ７０２）。
【００３５】
判断部６０２は、バーコードスキャナ２０３から商品情報が入力されてから、乗算ボタン２１０ｂが押下されずに所定時間経過した場合（ステップＳ７０２：Ｎｏ）、入力された商品情報が示す商品が、同一取引処理内において既に登録された商品（ＲＡＭ２５４に格納された商品情報が示す商品）と同一か否かを判断する（ステップＳ７０９）。入力された商品情報が、同一取引処理内において既に登録された商品情報が示す商品と同一であると判断された場合（ステップＳ７０９：Ｙｅｓ）、報知部６０３は、図８に示すように、入力された商品情報が示す商品の個数の入力を促すメッセージをＬＣＤ２１０に表示する（ステップＳ７１０）。本実施形態では、既にバーコードスキャナ２０３で読み取られた商品を除いた同一商品の個数（残り個数）を入力するメッセージを表示している。
【００３６】
なお、入力された商品情報が示す商品が、同一取引処理内のおいて既に登録された商品と同一でないと判断された場合（ステップＳ７０９：Ｎｏ）、登録部６０４は、商品マスタファイルＴから、入力された商品情報が示す商品コードと対応付けられた重量と、秤装置３０１により計量された商品の重量とが一致するか否かを判断する（ステップＳ７０３）。そして、入力された商品情報が示す商品コードと対応付けられた重量と、秤装置３０１により計量された商品の重量とが一致しなかった場合（ステップＳ７０３：Ｎｏ）、報知部６０３は、図９に示すように、再度、秤皿３０３に商品を置くことを顧客に促すメッセージをＬＣＤ２１０に表示する（ステップＳ７０４）。
【００３７】
また、乗算ボタン２１０ｂが押下された場合（ステップＳ７０２：Ｙｅｓ）若しくは入力された商品情報が示す商品の個数の入力を促すメッセージが表示された場合（ステップＳ７１０）、入力受付部６０１は、登録する同一商品の個数の入力を受け付ける（ステップＳ７１１）。尚、乗算ボタン２１０ｂが押下された場合は、入力受付部６０１で入力を受け付ける商品の個数は、バーコードスキャナ２０３で読み取られた商品を含めた同一商品の個数と定義する。
【００３８】
次いで、ステップＳ７０２がＹｅｓの場合、登録部６０４は、商品マスタファイルＴから、入力された商品情報が示す商品コードと対応付けられた重量を読み出すとともに、読み出した重量に入力を受け付けた個数を乗算して、入力を受け付けた個数分の商品の重量を計算する（ステップＳ７１２）。また、ステップＳ７０９がＹｅｓの場合、登録部６０４は、商品マスタファイルＴから読み取られた商品情報が示す商品コードと対応付けられた重量を読み出すとともに、読み出した重量に、入力を受け付けた個数に１を加算した値を乗算して、重量を計算する。この時、登録部６０４は、この商品情報がバーコードスキャナ２０３で読み取られる直前の秤装置３０１の重量を保持する。これは、乗算ボタン３０２が押下されるタイミングが、商品情報を読み取った商品を秤装置３０１に置いたタイミングであるか否かが不明であるためである。
【００３９】
そして、登録部６０４は、計算した商品の重量と、秤装置３０１により計量された商品の重量とが一致するか否かを判断する（ステップＳ７１３）。そして、計算した商品の重量と秤装置３０１により計量された商品の重量とが一致しなかった場合（ステップＳ７１３：Ｎｏ）、報知部６０３は、ステップＳ７０４と同様に、ＬＣＤ２１０にメッセージを表示する（ステップＳ７１４）。
【００４０】
一方、計量した商品の重量（商品マスタファイルＴから読み出した重量）と、秤装置３０１により計量した商品の重量と、が一致した場合（ステップＳ７０３：Ｙｅｓ，ステップＳ７１３：Ｙｅｓ）、登録部６０４は、入力された商品情報を、入力を受け付けた商品の個数分（または１つ）、ＲＡＭ２５４に格納する商品の登録処理を行う（ステップＳ７０５）。商品が登録されると、報知部６０３は、入力された商品情報が示す商品名をＬＣＤ２１０に表示する（ステップＳ７０６）。
【００４１】
その後、入力受付部６０１は、会計ボタン２１０ｄが押下されるのを待つ（ステップＳ７０７）。会計ボタン２１０ｄが押下されて会計要求が受け付けられた場合（ステップＳ７０７：Ｙｅｓ）、精算処理部６０５は、ＲＡＭ２５４に格納された商品情報が示す商品の精算処理を行う（ステップＳ７０８）。一方、会計ボタン２１０ｄが押下されず（ステップＳ７０７：Ｎｏ）、新たなバーコードスキャンが行われた場合（ステップＳ７０１）、上述した処理を繰り返す。
【００４２】
このように本実施形態にかかるセルフチェックアウト端末１０１によれば、入力された商品情報が示す商品が、同一取引処理内において既に登録された商品と同一であるか否かを判断し、入力された商品情報が示す商品が、同一取引処理内において既に登録された商品と同一であると判断された場合、入力された商品情報が示す商品を同一取引処理内において登録する個数を入力可能であることを報知し、入力された商品の個数の入力を受け付け、入力された商品情報が示す商品の前記個数分の重量を計量し、計量した重量と、入力された商品情報が示す商品の予め設定された重量に個数を乗算した重量とが一致した場合に、入力された商品情報が示す商品を個数分登録することにより、セルフチェックアウト端末１０１を使い慣れていない顧客でも、複数の同一商品をまとめて登録できることを知ることができるので、セルフチェックアウト端末を使い慣れていない顧客の商品の登録作業の煩わしさを軽減できる。
【００４３】
なお、本実施形態のセルフチェックアウト端末１０１で実行されるプログラムは、ＲＯＭ等に予め組み込まれて提供することもできる。
【００４４】
また、本実施形態のセルフチェックアウト端末１０１で実行されるプログラムは、インストール可能な形式又は実行可能な形式のファイルでＣＤ−ＲＯＭ、フレキシブルディスク（ＦＤ）、ＣＤ−Ｒ、ＤＶＤ（Digital  Versatile  Disk）等のコンピュータで読み取り可能な記録媒体に記録して提供するように構成してもよい。
【００４５】
さらに、本実施形態のセルフチェックアウト端末１０１で実行されるプログラムを、インターネット等のネットワークに接続されたコンピュータ上に格納し、ネットワーク経由でダウンロードさせることにより提供するように構成しても良い。また、本実施形態のセルフチェックアウト端末１０１で実行されるプログラムをインターネット等のネットワーク経由で提供または配布するように構成しても良い。
【符号の説明】
【００４６】
１０１  セルフチェックアウト端末
２０１  決済端末
２１０  ＬＣＤ
２５４  ＲＡＭ
２５５  ＣＰＵ
２５８  ＨＤＤ
３０１  秤装置
６０１  入力受付部
６０２  判断部
６０３  報知部
６０４  登録部
６０５  精算処理部
【先行技術文献】
【特許文献】
【００４７】
【特許文献１】特開２００７−９４６４３公報
【図１】
0005118733.tif 000002
【図２】
0005118733.tif 000003
【図３】
0005118733.tif 000004
【図４】
0005118733.tif 000005
【図５】
0005118733.tif 000006
【図６】
0005118733.tif 000007
【図７】
0005118733.tif 000008
【図８】
0005118733.tif 000009
【図９】
0005118733.tif 000010